(57)【要約】      （修正有）【課題】昼時に、プライバシーを確保しながらの採光を可能にする。カーテンを開口しないで外部の天候等を確認できるようにする。内部のプライバシーを確保して換気を可能にする。【解決手段】グラス窓等に併設した布地等によるカーテンにおいて、その上部の一部が透視しているか、あるいは、下部は遮光度が高く、徐々に上部に向かってその遮光度が低く透視度が増加し、内部での生活プライバシーを保ちながら、カーテン上部にて、採光を可能にした。【選択図】図１
0003108816.tif 000002
【実用新案登録請求の範囲】
【請求項１】
ガラス窓等に併設した布地等によるカーテンにおいて、その上部の一部が透視しているか、あるいは、下部は遮光度が高く、徐々に上部に向かってその遮光度が低く透視度が増加し、内部での生活プライバシーを保ちながら、カーテン上部にて採光を可能にし、生活範囲の高さでは遮光性を持たせることを特徴としたカーテン。
【請求項２】
編み機上の操作により編む密度を、カーテン使用状態で、上部の一部が疎となるように構成するか、または下部は密に上部は疎になるように徐々に編む密度を変えることで構成した請求項１記載のカーテン。
【請求項３】
編む密度の異なる複数の布地の組織を編み重ねることで構成した、請求項１記載のカーテン。
【請求項４】
光を反射させる機能を有した糸を少なくとも遮光部に使用したことを特徴とした請求項１記載のカーテン。
【考案の詳細な説明】
【技術分野】
【０００１】本考案は、窓やガラス戸等に併設する布地等のカーテンに関する。
【背景技術】
【０００２】１）窓やガラス戸に併設する従来のカーテンは、遮光と保温を目的として構成されている。そして採光する場合には、カーテンを上部から下部まで必要な幅に開くことで行っていた。
２）また別な目的で次のような従来技術がある。即ち、病院内の大部屋での間仕切り用カーテンとしては、特開平１１−３２９０３等で開示された、患者のプライバシーと同時に患者の様態を間仕切りの外側から医者や看護師が確認できるように、且つスプリンクラーの放水を可能にして火災を防ぐ目的の技術がある。【０００３】上記の従来技術には次のような問題があった。
１）遮光を目的としたカーテンでは、昼時に、採光のために、カーテンを上部から下部まで必要な幅開口すると、その開口部から、外部から内部が見えて、プライバシーの確保に問題があった。
２）外の天候などを確認するのにも、その度に、カーテンを開口する必要があった。
３）換気する場合にも、ガラス窓やガラス戸等開口の他にカーテンも上部から下部まで開けるので、プライバシーの確保に問題があった。
４）また先行技術としての特開平１１−３２９０３は病院内の大部屋で使用されるもので、上述したように、その使用目的が、本考案の遮光と採光とは異なるもので、使用場所も窓やガラス戸に併設したものではなく、その目的、機能を異にしたものであった。【０００４】
【特許文献１】    特開平１１−３２９０３
【考案の開示】
【考案が解決しようとする課題】
【０００５】１）昼時に、プライバシーを確保しながらの採光を可能にする。
２）外の天候などを確認するのにも、その度に、カーテンを開口しないで外部の天候等を確認できるようにする。
３）ガラス窓を開けて換気する場合でも、内部のプライバシーを確保して換気を可能にする。
【課題を解決するための手段】
【０００６】
【手段１】
ガラス窓等に併設した布地等によるカーテンにおいて、その上部の一部が透視しているか、あるいは、下部は遮光度が高く、徐々に上部に向かってその遮光度が低く透視度が増加し、内部での生活プライバシーを保ちながら、カーテン上部にて、採光を可能にし、生活範囲の高さでは遮光性を持たせることを特徴としたカーテン。
【手段２】
編み機上の操作により、編む密度をカーテン使用状態の姿勢で上部の一部が疎となるように構成するか、下部は密に上部は疎になるように徐々に編む密度を変えることで構成した手段１記載のカーテン。
【手段３】
編む密度の異なる複数の布地の組織を重ねることで構成した手段１記載のカーテン。
【手段４】
光を反射させる機能を有した糸を少なくとも遮光部に使用したことを特徴とした手段１記載のカーテン。
【考案の効果】
【０００７】  本考案のカーテンは、以下の効果を有する。
１）プライバシーを確保しながら外部からの採光を可能にする。
２）外の天候などを確認するのにも、その度に、カーテンを開口しないで外部の天候等を確認できるようにする。カーテンを閉めたままで昼間だけでなく夜間も、星が出ているか等の確認や、あるいは淡い月光を楽しむことも可能となる。
３）ガラス窓を開けて換気する場合でも、内部のプライバシーを確保して換気を可能にする。
４）採光部と遮光部を無段階に徐々に変えれば、インテリア性が増し、採光時、目にも優しく、外部から見ても、美観を有することができる。
５）遮光部を光を反射する糸で構成すれば、より遮光性を増し、外部からの日光やその熱線を反射するので内部の室内温度を外部温度の影響から守る機能を向上させることができる。
【考案を実施するための最良の形態】
【０００８】カーテン上部で採光するように、布地を疎に編み、、生活範囲の高さでは遮光性を持たせて内部での生活プライバシーを保つことを特徴としたカーテン。
編み機上の操作により編む密度を、カーテン使用状態で、上部の一部が疎となるように構成するか、または下部は密に上部は疎になるように徐々に編む密度を変えることで構成する。
【実施例１】
【０００９】図により本考案の構成とその実現の具体的方法を示す。上部に採光を可能にする透視部を有するカーテンの具体例を図１と図２に示す。
図１及び図２は、１−ａ、１−ｂ、１−ｃ或いは２−ａ、２−ｂ、２−ｃと示すように複数の区画に分かれており、区画毎に編組織を変えながら１枚の編地を編成したものである。
このとき、区画毎に編組織の糸の振り形を変える事により、透けにくい編地や透ける編地の編成が自在に可能な事を利用し、１枚の編地に透けにくい部分と透ける部分を設ける事で、高い目隠し性を実現しながら部分的に採光や換気などのための透視部を有する編地の編成が可能となり、カーテン地等、様々な分野に応用できる可能性が広がる。
図１は、遮光を目的とした透けにくい編地である１−ａ及び１−ｃで採光や換気時の通風も可能にした透ける編地の１−ｂを上下に挟み込んだものである。このとき、１−ａと１−ｂは同じ組織であっても問題は無い。即ち、このカーテンを閉めたままで、昼間は外部からの採光ができ、外部の空模様なども確認できる。【００１０】図２は、２−ｃは透けにくい編地を編成し、２−ｂから２−ａにかけて編組織の糸の振り方を段階的に変えていくことで組織の切り替わりをぼかす事が可能である。即ちカーテン下部では遮光機能を強く有し、上部に向かって、徐々に採光機能を有する部分と変わるものである。【００１１】図３は図１における複数層の編組織による構造を示す。経編における編組織の構造は、複数層からなる地糸と複数層からなる柄糸で構成されている。地糸の構成は編み方向に編目を編成する地糸と編目を横方向に連結させる地糸が層を成して複数あり、編機上でそれぞれの地糸の動きを操作することが可能である。柄糸の構成も地糸と同様に複数層あり、編地の表面か裏面、あるいは両面に柄表現を編成する事が可能である。図３における編組織の構成は３−ａが柄糸による文様の表現を編成した組織の層、３−ｂと３−ｃがそれぞれ地糸による編組織の層となっており、３重構造の編組織となっていることを示す。
３−ｃを例えば、光を反射する糸で構成すれば、より外部からは内部が透視困難となり遮光性を向上でき、光を反射するので、外部日光による内部の温度上昇を阻止できる機能を有し、美観をもたせることも、可能になる。【００１２】図４、図５は地糸の編組織を示した図である。図４における４−ハは鎖編と呼ばれる地糸の組織図で、これは編目が経て方向に連なっており、緯方向の連結は４−イと４−ロの地糸で編成する。図５はそれぞれの地糸が鎖編みを連結させたとき、どのように見えるのかをわかり易く表現したもので、５−イは図３−ｂ、５−ロは図３−ｃの組織層に相当する。また、５−ａ〜ｃは地糸の振り方を変化させることで、前述した図１−ａ〜ｃにおける透けにくい部分と透ける部分の編組織の具体例を示す。【００１３】図６は図５の５−イ、５−ロが重なり合った図で２層の地糸が編組織を編成しながら構成されている様子を示したものである。【００１４】図７、図８はジャカードという編み方法による柄糸の動きを表した図である。地糸は同じ層の糸は全て同じ動きをするが、ジャカードの柄糸は単独で異なった動きをする事が可能である。７−ａは薄地と呼ばれるジャカード組織の柄糸の振り方で、左側の柄糸が右隣の編目を連結する振り方である。７−ｂは厚地と呼ばれるジャカード組織の柄糸の振り方で、左右の柄糸がお互いの編目を連結する振り方である。７−ｃはキラズと呼ばれるジャカード組織の柄糸の振り方で、右側の柄糸が左隣の編目を連結する振り方で、薄地と逆の動きをする組織である。７−ｄは穴地と呼ばれるジャカード組織の柄糸の振り方で、左右の柄糸がお互いの編目を連結しない振り方である。上記のジャカード組織を組み合わせる事で様々な文様を表現する事が可能となり、遮光部を容易に任意に場所に作り出すことができる。図８はジャカード組織で構成された柄糸の走り方の具体例である。
８−ａで示されたジャカード組織は８−ｂの柄糸の文様になる。上記のジャカード組織で編成された柄糸の層が図３の３−ａに相当する。【００１５】図９は前述したジャカード組織を用いて透ける部分と透けない部分を構成した文様で、柄糸の振り方を具体的に示した図である。透けない部分９−ａ、９−ｃに厚地と薄地の市松模様を、透ける部分９−ｂは穴地のみを用いて編成すると組織上に示した柄糸の振りのように編成されていく。【００１６】図１０は図３における複数層の編組織による構造を具体的に糸の振りによって表現したものである。１０−ａはジャカード組織による文様の表現を編成した組織の層、１０−ｂと１０−ｃがそれぞれ地糸による編組織の層となっており、３重構造の編組織となっていることを示す。【００１７】図１１は複数層の編組織による構造を示すもので、複数層による編み組織の構造で編み幅方向に透ける部分と透けない部分を形成した編み方の例である。
１１−ａはジャカード組織等による柄糸による文様の表現を編成した組織の層を示し、１１−ｂ〜ｅは地糸による編組織の層を示す。このとき１１−ｂ、１１−ｃは透けにくい部分のみを編成し、１１−ｄ、１１−ｅは透ける部分のみを編成する。これを９０度回転させて使用すれば、この編み方でも、上部に透けた部分を設けることができる。【００１８】図１２は前述した図１１における編成された編地がどのような層によって構成されているか示した図である。これにより様々な動きをした地糸とそれに合わせて表現された柄糸との組み合わせにより、製作者の意図する編地が編成可能となり、本項案の４つの手段を容易に具現できるものとなる。
【産業上の利用可能性】
【００１９】プライバシーを確保しながらその都度カーテンを開けなくても外部から採光をしたいというニーズは多い。外の天候などを確認するのにも、その度に、カーテンを開口しないで外部の天候等を確認できるようにすれば便利である。カーテンを閉めたままで昼間だけでなく夜間も、星が出ているか、あるいは淡い月光を楽しむことができると楽しい。換気も容易にしたい。採光部と遮光部を無段階に徐々に変えれば、インテリア性が増し、採光時、目にも優しく、外部から見ても、美観を有することができる。遮光部を光を反射する糸で構成すれば、より遮光性を増し、外部からの日光やその熱線を反射するので内部温度を外部温度の影響を受けにくくできる。この様なことができれば、市場ニーズの高いカーテンとなるので、しかも、従来技術の編み方式や現存の編み機で実現できるので、産業上の利用可能性は大きい。
【図面の簡単な説明】
【００２０】
【図１】本考案の説明図。
【図２】別の本考案の説明図。
【図３】本考案の編み組織の構成の説明図。
【図４】地糸の編み組織図。
【図５】別の地糸の編み組織図。
【図６】２層の地糸が編み組織を編成しながら構成される図。
【図７】ジャガード編み方式による柄糸の動きを表した図。
【図８】ジャガード編み方式による柄糸の動きを表した図。
【図９】ジャガード編み方式により透ける部分と透けない部分を構成した柄糸の振り方を具体的に示した図。
【図１０】図３の複数層の編み組織による構造を具体的に糸の振りにより示した図説明図。
【図１１】複数層による編み組織の構造で編み幅方向に透ける部分と透けない部分を形成した編み方の例。
【図１２】図１１の編み組織とその分解図。
【符号の説明】
【００２１】ａ、ｂ，ｃ                    カーテン布地の密度の異なる部分の表示
イ、ロ、ハ                    カーテン布地の地糸の組織の違い
【図１】
0003108816.tif 000003
【図２】
0003108816.tif 000004
【図３】
0003108816.tif 000005
【図４】
0003108816.tif 000006
【図５】
0003108816.tif 000007
【図６】
0003108816.tif 000008
【図７】
0003108816.tif 000009
【図８】
0003108816.tif 000010
【図９】
0003108816.tif 000011
【図１０】
0003108816.tif 000012
【図１１】
0003108816.tif 000013
【図１２】
0003108816.tif 000014